(57)【要約】    【課題】  妊婦の体格に応じた体重管理を支援する。    【解決手段】  入力装置３が妊婦の身長及び妊娠前の体重の入力を受け付ける。ここで受け付けた妊婦の身長及び妊娠前の体重に基づいて、満期ＢＭＩ算出部１２は、妊娠期間の所定時期の対象妊婦の適正なＢＭＩ値の上限値及び下限値を定める。基準ＢＭＩ変化率記憶部２２には、多数の妊婦の妊娠期間におけるＢＭＩ値の変化の実績値に基づいて算出された、妊娠期間におけるＢＭＩ値の基準変化率を記憶されている。ＢＭＩ変化率算出部１３，調整係数算出部１４及び個別ＢＭＩ変化率算出部１５が、基準ＢＭＩ変化率と、対象妊婦の妊娠１０ヶ月の適正な体格指標の上限値及び下限値とに基づいて、対象妊婦の妊娠期間におけるＢＭＩ値の適正範囲を算出する。    【選択図】  図１
2006230476.tif 000002
【特許請求の範囲】
【請求項１】
妊婦の身長及び妊娠前の体重の入力を受け付ける手段と、
前記入力手段が入力を受け付けた前記妊婦の身長及び妊娠前の体重に基づいて、妊娠期間内の所定時期における前記妊婦の適正な体格指標の上限値及び下限値を定める適正体格指標設定手段と、
多数の妊婦の妊娠期間における体格指数の変化の実績値に基づいて算出された、妊娠期間における体格指数の基準変化率を記憶した記憶手段と、
前記記憶手段に記憶された基準変化率と、前記適正体格指標設定手段により定められた前記妊娠期間内の所定時期における適正な体格指標の上限値及び下限値とに基づいて、前記妊婦の妊娠期間における体格指標の適正範囲を算出する適正範囲算出手段と、を備える妊娠期間における妊婦別の適正な体格指標算出装置。
【請求項２】
前記適正範囲算出手段により算出された、前記妊婦の妊娠期間における体格指標の適正範囲に基づいて、前記妊婦の妊娠期間における体重の適正範囲を算出する手段を、さらに備える請求項１記載の装置。
【請求項３】
前記入力手段が入力を受け付けた前記妊婦の身長及び妊娠前の体重に基づいて、前記妊婦の妊娠前の体格指数を算出する体格指数算出手段を、さらに備え、
前記適正体格指標設定手段は、
前記妊婦の妊娠前の体格指標に基づいて、前記妊娠期間の所定時期における前記妊婦の適正体重の上限値及び下限値を定め、
前記妊婦の身長及び前記妊娠期間の所定時期における前記妊婦の適正体重の上限値及び下限値に基づいて、前記妊娠期間の所定時期における適正な体格指標の上限値及び下限値を定めることを特徴とする請求項１記載の装置。
【請求項４】
前記入力手段が入力を受け付けた前記妊婦の身長及び妊娠前の体重に基づいて、前記妊婦の妊娠前の体格指数を算出する体格指数算出手段を、さらに備え、
前記適正範囲算出手段は、
前記妊婦の妊娠前の体格指標と、前記妊娠期間の所定時期における前記妊婦の適正な体格指標の上限値及び下限値とに基づいて、前記妊娠期間の所定時期における前記妊婦の適正な体格指標変化率の上限値及び下限値を算出し、
前記妊娠期間の所定時期の基準変化率と、前記妊娠期間の所定時期における前記妊婦の適正な体格指標変化率の上限値及び下限値とに基づいて、前記妊婦に関する調整係数を算出し、
前記算出された前記妊婦に関する調整係数と前記妊娠期間の所定時期以外の基準変化率とに基づいて、前記妊娠期間の所定時期以外の時期の前記妊婦の体格指標の変化率の適正範囲を定め、
前記妊娠期間の所定時期以外の時期の前記妊婦の体格指標の変化率の適正範囲に基づいて、前記妊婦の妊娠期間における体格指標の適正範囲を算出することを特徴とする請求項１記載の装置。
【請求項５】
前記適正体格指標設定手段は、妊娠１０ヶ月の適正な体格指標の上限値及び下限値を定め、
前記適正範囲算出手段は、妊娠２ヶ月から９ヶ月までの適正な体格指標の上限値及び下限値を定めることを特徴とする請求項１記載の装置。
【請求項６】
前記記憶手段に記憶されている体格指数の基準変化率は、あらゆる体格の妊婦の体格指数の変化の実績値に基づいて算出されたものであることを特徴とする請求項１記載の装置。
【請求項７】
前記体格指標はＢＭＩ（Ｂｏｄｙ Ｍａｓｓ Ｉｎｄｅｘ）値であることを特徴とする請求項１〜６に記載の装置。
【請求項８】
妊娠期間における妊婦別の適正な体格指標を算出するための方法であって、
妊婦の身長及び妊娠前の体重の入力を受け付けるステップと、
前記受け付けた妊婦の身長及び妊娠前の体重に基づいて、妊娠期間内の所定時期における前記妊婦の適正な体格指標の上限値及び下限値を定めるステップと、
多数の妊婦の妊娠期間における体格指数の変化の実績値に基づいて算出された、妊娠期間における体格指数の基準変化率を記憶手段に記憶するステップと、
前記記憶手段に記憶された基準変化率と、前記定められた前記妊娠期間内の所定時期における適正な体格指標の上限値及び下限値とに基づいて、妊娠期間における前記妊婦の体格指標の適正範囲を算出するステップと、を有する方法。
【請求項９】
コンピュータに実行されると、
妊婦の身長及び妊娠前の体重の入力を受け付けるステップと、
前記受け付けた妊婦の身長及び妊娠前の体重に基づいて、妊娠期間内の所定時期における前記妊婦の適正な体格指標の上限値及び下限値を定めるステップと、
多数の妊婦の妊娠期間における体格指数の変化の実績値に基づいて算出された、妊娠期間における体格指数の基準変化率を記憶手段に記憶するステップと、
前記記憶手段に記憶された基準変化率と、前記定められた前記妊娠期間内の所定時期における適正な体格指標の上限値及び下限値とに基づいて、妊娠期間における前記妊婦の体格指標の適正範囲を算出するステップとが行われる、妊娠期間における妊婦別の適正な体格指標を算出するためのコンピュータプログラム。
【発明の詳細な説明】
【技術分野】
【０００１】
本発明は、妊娠期間における妊婦の体格指標または体重変化の適正範囲を妊婦別に算出するための技術に関し、特に、全妊娠期間に渡って妊婦別の適正体重または体格指標を算出する技術に関する。
【背景技術】
【０００２】
妊婦に対しては、妊娠中毒症の予防あるいは妊娠糖尿病の予防など、種々の目的で体重管理が行われている。この体重管理は、主に、妊娠期間中に行われる定期検診において体重測定をし、妊娠前の体重からの変化（増加）量、及び前回の定期検診からの体重の変化量などに基づいて、適切な体重が維持されるように医師等が指導を行っている。
【発明の開示】
【発明が解決しようとする課題】
【０００３】
しかしながら、各妊婦は妊娠前の体格（身長及び体重）がそれぞれ異なることから、体重の増加量について一律の基準を適用したのでは、適切な体重管理をすることができない。また、それぞれの妊婦の体格を考慮したとしても、それは定性的なものとなってしまい、客観性を担保することができない。
【０００４】
そこで、本発明の目的は、妊婦の体格に応じた体重管理を支援するための技術を提供することである。
【０００５】
本発明の別の目的は、妊娠期間中に変化する体格指標または体重について、妊婦別の適正範囲を求めるための技術を提供することである。
【課題を解決するための手段】
【０００６】
本発明の一実施態様に従う妊娠期間における妊婦別の適正な体格指標算出装置は、妊婦の身長及び妊娠前の体重の入力を受け付ける手段と、前記入力手段が入力を受け付けた前記妊婦の身長及び妊娠前の体重に基づいて、妊娠期間内の所定時期における前記妊婦の適正な体格指標の上限値及び下限値を定める適正体格指標設定手段と、多数の妊婦の妊娠期間における体格指数の変化の実績値に基づいて算出された、妊娠期間における体格指数の基準変化率を記憶した記憶手段と、前記記憶手段に記憶された基準変化率と、前記適正体格指標設定手段により定められた前記妊娠期間内の所定時期における適正な体格指標の上限値及び下限値とに基づいて、前記妊婦の妊娠期間における体格指標の適正範囲を算出する適正範囲算出手段と、を備える。
【０００７】
好適な実施形態では、前記適正範囲算出手段により算出された、前記妊婦の妊娠期間における体格指標の適正範囲に基づいて、前記妊婦の妊娠期間における体重の適正範囲を算出する手段を、さらに備えるようにしてもよい。
【０００８】
好適な実施形態では、前記入力手段が入力を受け付けた前記妊婦の身長及び妊娠前の体重に基づいて、前記妊婦の妊娠前の体格指数を算出する体格指数算出手段を、さらに備え、前記適正体格指標設定手段は、前記妊婦の妊娠前の体格指標に基づいて、前記妊娠期間の所定時期における前記妊婦の適正体重の上限値及び下限値を定め、前記妊婦の身長及び前記妊娠期間の所定時期における前記妊婦の適正体重の上限値及び下限値に基づいて、前記妊娠期間の所定時期における適正な体格指標の上限値及び下限値を定めるようにしてもよい。
【０００９】
好適な実施形態では、前記入力手段が入力を受け付けた前記妊婦の身長及び妊娠前の体重に基づいて、前記妊婦の妊娠前の体格指数を算出する体格指数算出手段を、さらに備え、前記適正範囲算出手段は、前記妊婦の妊娠前の体格指標と、前記妊娠期間の所定時期における前記妊婦の適正な体格指標の上限値及び下限値とに基づいて、前記妊娠期間の所定時期における前記妊婦の適正な体格指標変化率の上限値及び下限値を算出し、前記妊娠期間の所定時期の基準変化率と、前記妊娠期間の所定時期における前記妊婦の適正な体格指標変化率の上限値及び下限値とに基づいて、前記妊婦に関する調整係数を算出し、前記算出された前記妊婦に関する調整係数と前記妊娠期間の所定時期以外の基準変化率とに基づいて、前記妊娠期間の所定時期以外の時期の前記妊婦の体格指標の変化率の適正範囲を定め、前記妊娠期間の所定時期以外の時期の前記妊婦の体格指標の変化率の適正範囲に基づいて、前記妊婦の妊娠期間における体格指標の適正範囲を算出するようにしてもよい。
【００１０】
好適な実施形態では、前記適正体格指標設定手段は、妊娠１０ヶ月の適正な体格指標の上限値及び下限値を定め、前記適正範囲算出手段は、妊娠２ヶ月から９ヶ月までの適正な体格指標の上限値及び下限値を定めてもよい。
【００１１】
好適な実施形態では、前記記憶手段に記憶されている体格指数の基準変化率は、あらゆる体格の妊婦の体格指数の変化の実績値に基づいて算出されたものであってもよいし、体格別に分類した妊婦の体格指数の変化の実績値に基づいて算出されたものであってもよい。
【００１２】
好適な実施形態では、前記体格指標はＢＭＩ（Ｂｏｄｙ Ｍａｓｓ Ｉｎｄｅｘ）値であってもよいし、カウプ指数であってもよい。
【発明を実施するための最良の形態】
【００１３】
以下、本発明の一実施形態に係る妊婦の適正体重算出装置１について、図面を参照しながら説明する。
【００１４】
図１は、本実施形態に係る妊婦の適正体重算出装置１の全体構成を示す図である。本装置１は、入力装置３及び表示装置５に接続されていて、入力装置３から妊婦の身長及び妊娠前の体重が入力されると、その妊婦の妊娠初期から満期（例えば妊娠２ヶ月から１０ヶ月）までの間の適正な体重及び体格指標を算出し、表示装置５に出力する。本実施形態では、体格指標としてＢＭＩ（Ｂｏｄｙ Ｍａｓｓ Ｉｎｄｅｘ）を用いるが、カウプ指数など他の体格指標でもよい。
【００１５】
ここで、例えば、本実施形態の適正体重算出装置１をインターネット上のサーバに実装し、ユーザがインターネットを介して接続された端末装置、携帯電話機、パーソナルコンピュータなどを入力装置３及び表示装置５として利用する形態でもよい。
【００１６】
この妊婦の適正体重算出装置１は、例えば汎用的なコンピュータシステムにより構成され、以下に説明する装置１内の個々の構成要素または機能は、例えば、コンピュータプログラムを実行することにより実現される。
【００１７】
図１に示す妊婦の適正体重算出装置１は、適正体重の算出対象となる妊婦の身長及び妊娠前の体重の入力を受け付けて、妊娠２ヶ月から１０ヶ月までの間の体重及びＢＭＩ値の適正範囲を求める。そのために、本装置１は以下のような構成を備える。
【００１８】
すなわち、本装置１は、妊娠前のＢＭＩ値を算出する妊娠前ＢＭＩ算出部１１と、妊娠１０ヶ月でのＢＭＩ値を算出する満期ＢＭＩ算出部１２と、妊娠前のＢＭＩ値に対するＢＭＩ変化率を算出するＢＭＩ変化率算出部１３と、対象妊婦に固有の調整係数を算出する調整係数算出部１４と、妊娠期間中の対象妊婦のＢＭＩ変化率を算出する個別ＢＭＩ変化率算出部１５と、ＢＭＩ変化率をＢＭＩ値に変換するＢＭＩ変換部１６と、ＢＭＩ変化率を体重に変換する体重変換部１７とを有する。さらに、本装置１は、データを記憶するための構成として、適正体重増加テーブル２１と、多数の妊婦の実データから算出された基準ＢＭＩ変化率を記憶した基準ＢＭＩ変化率記憶部２２と、本装置１により算出された各妊婦の個別のＢＭＩ変化率を記憶する個別ＢＭＩ変化率記憶部２３とを有する。
【００１９】
妊娠前ＢＭＩ算出部１１は、入力装置３から入力された対象妊婦の身長及び妊娠前の体重に基づいて、対象妊婦の妊娠前のＢＭＩ値を算出する。
【００２０】
満期ＢＭＩ算出部１２は、妊娠前ＢＭＩ算出部１１から対象妊婦の妊娠前のＢＭＩ値を取得する。そして、このＢＭＩ値に基づいて、適正体重増加テーブル２１から妊娠１０ヶ月での適正な体重増加量を取得する。
【００２１】
ここで、妊娠１０ヶ月における適正な体重増加量は、妊娠前のＢＭＩ値に応じて予め定められている。適正体重増加テーブル２１には、図１に示すように、この予め定められた適正な体重増加量が登録されている。同図からわかるように、適正な体重増加量には一定の幅があり、上限の増加量（上限値）及び下限の増加量（下限値）がある。
【００２２】
なお、適正体重増加テーブル２１に格納されている適正体重増加量は、必ずしも妊娠１０ヶ月におけるものでなくてもよく、妊娠期間における所定の時期でよい。この場合、後述する調整係数を算出するための処理は、この所定の時期の基準ＢＭＩ変化率を用いて行われる。この妊娠期間における所定の時期は、例えば、妊娠期間の後期であればより好ましい。
【００２３】
満期ＢＭＩ算出部１２は、さらに、対象妊婦の身長及び妊娠前体重と、ここで取得した体重増加量の上限値及び下限値とを用いて、妊娠１０ヶ月での適正ＢＭＩ値の上限値（以下、上限ＢＭＩ値という）及び下限値（以下、下限ＢＭＩ値という）を算出する。上限ＢＭＩ値及び下限ＢＭＩ値の算出式は、それぞれ以下の通りである。
上限ＢＭＩ値＝（妊娠前体重＋適正体重増加量の上限値）／（身長）2  （１）
下限ＢＭＩ値＝（妊娠前体重＋適正体重増加量の下限値）／（身長）2  （２）
【００２４】
ＢＭＩ変化率算出部１３は、対象妊婦の妊娠前ＢＭＩ値、妊娠１０ヶ月での上限ＢＭＩ値及び下限ＢＭＩ値を、満期ＢＭＩ算出部１２から取得する。そして、妊娠１０ヶ月でのＢＭＩ変化率の上限値（以下、上限ＢＭＩ変化率という）及び下限値（以下、下限ＢＭＩ変化率という）を算出する。上限ＢＭＩ変化率及び下限ＢＭＩ変化率の算出式は、それぞれ以下の通りである。
上限ＢＭＩ変化率＝（上限ＢＭＩ値−妊娠前ＢＭＩ値）／（妊娠前ＢＭＩ値）  （３）
下限ＢＭＩ変化率＝（下限ＢＭＩ値−妊娠前ＢＭＩ値）／（妊娠前ＢＭＩ値）  （４）
【００２５】
調整係数算出部１４は、ＢＭＩ変化率算出部１３から上限ＢＭＩ変化率及び下限ＢＭＩ変化率を取得する。そして、基準ＢＭＩ変化率記憶部２２を参照し、基準ＢＭＩ変化率に対する、対象妊婦に個別の調整係数を算出する。
【００２６】
ここで、図２を用いて基準ＢＭＩ変化率について説明する。
【００２７】
基準ＢＭＩ変化率とは、予め多数の妊婦の全妊娠期間に渡るＢＭＩ値の変化の実績値に基づいて算出された、妊娠前に対する各妊娠月数におけるＢＭＩ値の変化率である。その算出式は以下の通りである。
基準ＢＭＩ変化率＝（Ｎヶ月のBMI値−妊娠前のBMI値）／妊娠前のBMI値  （５）
ここで、Ｎヶ月のＢＭＩ値及び妊娠前ＢＭＩ値は、いずれも多数の妊婦のデータの平均値である。
【００２８】
基準ＢＭＩ変化率記憶部２２のデータ構造の一例を同図（ａ）に示す。すなわち、妊娠前のＢＭＩ値に対する各月におけるＢＭＩ値の変化率が、基準ＢＭＩ変化率として記憶されている。また、同図（ａ）の基準ＢＭＩ変化率をグラフで示したものが同図（ｂ）である。
【００２９】
なお、本実施形態では、基準ＢＭＩ変化率は体格による分類を行わず、あらゆる体格の妊婦のデータを含むものを利用する。しかしながら、妊娠前のＢＭＩ値などで妊婦の体格を分類し、体格別に算出した基準ＢＭＩ変化率を予め生成し、これを用いてもよい。
【００３０】
基準ＢＭＩ変化率は、上述した通り多数の妊婦の平均値であるから、個別の妊婦にそのまま適用することは難しい。そこで、各妊婦の体格差に応じた調整を行うのが調整係数ｋである。調整係数ｋは、妊娠１０ヶ月の基準ＢＭＩ変化率に対する、対象妊婦の妊娠１０ヶ月のＢＭＩ変化率の割合で示す。
【００３１】
調整係数算出部１４は、ＢＭＩ変化率算出部１３が算出した上限ＢＭＩ変化率及び下限ＢＭＩ変化率について、それぞれの上限及び下限の調整係数を算出する。つまり、上限調整係数は、対象妊婦が適正体重の上限値まで体重が増加した場合の調整係数であり、下限調整係数は、対象妊婦が適正体重の下限値までしか体重が増加しなかった場合の調整係数である。上限調整係数ｋ１及び下限調整係数ｋ２の算出式は、それぞれ以下の通りである。
上限調整係数k1
=（妊娠10ヶ月基準BMI変化率−上限BMI変化率）／妊娠10ヶ月基準BMI変化率  （６）
下限調整係数k2
=（妊娠10ヶ月基準BMI変化率−下限BMI変化率）／妊娠10ヶ月基準BMI変化率  （７）
【００３２】
再び図１を参照すると、個別ＢＭＩ変化率算出部１５は、調整係数算出部１４から上限及び下限の調整係数を取得する。そして、この上限の及び下限の調整係数に基づいて、基準ＢＭＩ変化率を調整した、対象妊婦固有の個別ＢＭＩ変化率を算出する。算出された個別ＢＭＩ変化率は、個別ＢＭＩ変化率記憶部２３に格納される。
【００３３】
個別ＢＭＩ変化率算出部１５は、妊娠２ヶ月から９ヶ月までの基準ＢＭＩ変化率に対して、上限調整係数及び下限調整係数をそれぞれ乗算し、妊娠２ヶ月から９ヶ月までの上限のＢＭＩ変化率及び下限のＢＭＩ変化率を算出する。
【００３４】
ＢＭＩ変換部１６は、個別ＢＭＩ変化率記憶部２３に格納されている対象妊婦の各月におけるＢＭＩ変化率を、各月におけるＢＭＩ値に変換する。ＢＭＩ変換部１６は、個別ＢＭＩ変化率記憶部２３に格納されているＢＭＩ変化率と、対象妊婦の妊娠前ＢＭＩ（または身長及び妊娠前体重）に基づいて、各月の上限及び下限のＢＭＩ値を算出する。ＢＭＩ変換部１６は、算出された上限及び下限のＢＭＩ値を表示装置５に出力する。
【００３５】
体重変換部１７は、ＢＭＩ変換部１６で算出された対象妊婦の各月における上限及び下限のＢＭＩ値を、妊婦の身長に基づいて体重に変換する。体重変換部１７は、ここで算出された各月の上限及び下限の体重を表示装置５に出力する。
【００３６】
次に、図３、図４並びに図１を参照しながら、個別ＢＭＩ変化率の具体的な算出手順について説明する。
【００３７】
図３は上限の個別ＢＭＩ変化率の算出手順を示し、図４は下限の個別ＢＭＩ変化率の算出手順を示している。
【００３８】
まず、入力装置３が妊婦の身長及び妊娠前体重の入力を受け付ける。この例では、身長１．５５（ｍ）、妊娠前体重５５（ｋｇ）である。
【００３９】
（ステップ１）
妊娠前ＢＭＩ算出部１１が、対象妊婦の妊娠前ＢＭＩ値５０を算出する。この例では、妊娠前ＢＭＩ値は、２２．８９である。
【００４０】
（ステップ２）
満期ＢＭＩ算出部１２が、対象妊婦の妊娠１０ヶ月の適正体重増加量を適正体重増加テーブル２１から取得する。ここでは、適正体重増加量７〜１０ｋｇであるから、上限の体重増加量が＋１０ｋｇ、下限の体重増加量が＋７ｋｇである。ここで、１０ヶ月の上限体重５４ａ及び下限体重６４ａがそれぞれ、６５ｋｇと６２ｋｇと算出される。そして、式（１）、（２）を用いると、妊娠１０ヶ月の上限ＢＭＩ値５３ａが２７．０６、及び下限ＢＭＩ値６３ａが２５．８１と、それぞれ算出される。
【００４１】
（ステップ３）
ＢＭＩ変化率算出部１３は、式（３）、（４）を用いて、妊娠前のＢＭＩ値５０と妊娠１０ヶ月の上限ＢＭＩ値５３ａ及び下限ＢＭＩ値６３ａとから、上限ＢＭＩ変化率５２ａ及び下限ＢＭＩ変化率６２ａを算出する。ここでは、妊娠１０ヶ月の上限ＢＭＩ変化率５２ａが０．１８１８となり、下限ＢＭＩ変化率６２ａが０．１２７３となる。
【００４２】
（ステップ４）
調整係数算出部１４が、式（６）、（７）を用いて、妊娠１０ヶ月の上限及び下限ＢＭＩ変化率５２ａ，６２ａと妊娠１０ヶ月の基準ＢＭＩ変化率２２ａとに基づいて、上限調整係数ｋ１及び下限調整係数ｋ２を算出する。ここでは、上限調整係数ｋ１が０．８５０５となり、下限調整係数ｋ２が０．５９５４となる。
【００４３】
（ステップ５）
ここまでの処理で、対象妊婦の上限及び下限の調整係数ｋ１，ｋ２が求まったので、個別ＢＭＩ変化率算出部１５は、基準ＢＭＩ変化率をこの調整係数に基づいて調整し、対象妊婦固有のＢＭＩ変化率５２，５３を算出する。すなわち、妊娠２ヶ月から９ヶ月までの各月数の基準ＢＭＩ変化率に上限調整係数ｋ１をかけて、妊娠２ヶ月から９ヶ月までの上限ＢＭＩ変化率５２ｂを算出する。各月の具体的な変化率は図３に示す通りである。同様に、妊娠２ヶ月から９ヶ月までの各月数の基準ＢＭＩ変化率に下限調整係数ｋ２をかけて、妊娠２ヶ月から９ヶ月までの下限ＢＭＩ変化率６２ｂを算出する。各月の具体的な変化率は図４に示す通りである。ここで算出された妊娠２ヶ月から１０ヶ月までの上限及び下限ＢＭＩ変化率５２、６２は、個別ＢＭＩ変化率記憶部２３に格納される。
【００４４】
（ステップ６）
ＢＭＩ変換部１６は、個別ＢＭＩ変化率記憶部２３に記憶されている妊娠２ヶ月から９ヶ月までの上限ＢＭＩ値５２ｂ及び下限ＢＭＩ値６２ｂを、妊娠前のＢＭＩ値５０に基づいて、それぞれの月の上限ＢＭＩ値５３ｂ及び下限ＢＭＩ値６３ｂに変換する。各月の具体的な上限及び下限ＢＭＩ値５３ｂ、６３ｂは、それぞれ図３、図４に示す通りである。
【００４５】
（ステップ７）
体重変換部１７は、ＢＭＩ変換部１６が算出した妊娠２ヶ月から９ヶ月までの上限及び下限ＢＭＩ値５３ｂ、６３ｂを、妊婦の身長に基づいて、それぞれの月の上限体重５４ｂ及び下限体重６４ｂに変換する。各月の上限及び下限体重５４ｂ、６４ｂは、それぞれ図３、図４に示す通りである。
【００４６】
図５は、上記のようにして算出された妊娠２ヶ月から１０ヶ月までの適正ＢＭＩ値の範囲（同図（ａ））及び適正体重の範囲（同図（ｂ））を示すグラフである。すなわち、適正ＢＭＩ値の範囲は、上限ＢＭＩ値５３を示す線と下限ＢＭＩ値６３を示す線との間の領域であり、適正体重の範囲は、上限体重５４を示す線と下限体重６４を示す線との間の領域である。
【００４７】
これにより、各妊婦の体格に応じた、妊婦個別の全妊娠期間における適正な体重及び体格指標の範囲を求めることができる。さらに、これにより、妊婦の体重管理のための客観的なデータが提供され、医師等による指導をより適切なものとすることができる。
【００４８】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００４９】
例えば、本実施形態では、体格指標としてＢＭＩ値を用いているが、これ以外の体格指標を用いてもよい。また、妊娠期間を月数で表し、各月のＢＭＩ値及び体重の適正値を求めているが、これ以外にも妊娠期間を週数または日数で表し、各週または日のＢＭＩ値及び体重の適正値を求めるようにしてもよい。
【図面の簡単な説明】
【００５０】
【図１】本発明の一実施形態に係る妊婦の適正体重算出装置１の全体構成を示す図である。
【図２】基準ＢＭＩ変化率を示す図である。
【図３】上限の個別ＢＭＩ変化率の算出手順を示す図である。
【図４】下限の個別ＢＭＩ変化率の算出手順を示す図である。
【図５】適正ＢＭＩ値の範囲及び適正体重の範囲を示すグラフである。
【符号の説明】
【００５１】
１    適正体重算出装置
３    入力装置
５    表示装置
１１    妊娠前ＢＭＩ算出部
１２    満期ＢＭＩ算出部
１３    ＢＭＩ変化率算出部
１４    調整係数算出部
１５    個別ＢＭＩ変化率算出部
１６    ＢＭＩ変換部
１７    体重変換部
２１    適正体重増加テーブル
２２    基準ＢＭＩ変化率記憶部
２３    個別ＢＭＩ変化率記憶部
【図１】
2006230476.tif 000003
【図２】
2006230476.tif 000004
【図３】
2006230476.tif 000005
【図４】
2006230476.tif 000006
【図５】
2006230476.tif 000007